(57)【要約】【課題】  カメラ付き携帯電話を、三脚その他の装置が有するカメラネジボルトに固定できるようにする。【解決手段】  本発明は、三脚に、カメラ付き携帯電話を固定するためにカメラ付き携帯電話と、三脚の間に噛ませるアダプタ２０に関する。このアダプタ２０は、本体２１と、カメラネジナット２２と、固定部２３を持つ。アダプタ２０が備える固定部２３をカメラ付き携帯電話の充電用端子に挿入するとともに、アダプタ２０が備えるカメラネジナット２２を三脚が備えるカメラネジボルトと螺合させることにより、三脚とカメラ付き携帯電話を固定できる。【選択図】  図２
2005062367.tif 000002
【特許請求の範囲】
【請求項１】
カメラ付き携帯電話との固定をなす携帯電話固定手段と、
カメラネジボルトと螺合することのできるカメラネジナットと、
を備えてなり、
前記携帯電話固定手段を所定のカメラ付き携帯電話に固定し、且つ前記カメラネジナットをカメラネジボルトに固定することによって、
前記カメラ付き携帯電話を前記カメラネジボルトへ固定できるようになっている、
カメラ付き携帯電話用アダプタ。
【請求項２】
前記携帯電話固定手段は、前記カメラ付き携帯電話に設けられた穴状の充電用端子と固定されるものであるとともに、
前記カメラネジボルトと前記カメラネジナットが固定され、且つ前記携帯電話固定手段と前記充電用端子が固定されたときに、前記カメラネジボルトの長さ方向が前記充電用端子の深さ方向と一致するようにされてなる、
請求項１記載のカメラ付き携帯電話用アダプタ。
【請求項３】
前記携帯電話固定手段は、そのカメラ付き携帯電話用アダプタとの固定が予定されているカメラ付き携帯電話に設けられた穴状の充電用端子に挿入可能とされているとともに、それが充電用端子に挿入されることで、前記カメラネジボルトの長さ方向が前記充電用端子の深さ方向と一致する状態で、充電用端子と固定されるようになっている、
請求項１記載のカメラ付き携帯電話用アダプタ。
【請求項４】
前記携帯電話固定手段は、そのカメラ付き携帯電話用アダプタとの固定が予定されているカメラ付き携帯電話に設けられた穴状の充電用端子に挿入した状態で当該カメラ付き携帯電話に内蔵されたバッテリに充電を行うための充電器端子の断面形状と、等しい断面形状を持つようにされてなる、
請求項３記載のカメラ付き携帯電話用アダプタ。
【請求項５】
請求項１〜４のいずれかに記載のカメラ付き携帯電話用アダプタと、カメラネジボルトを有する三脚とを有する三脚セットであって、
前記三脚が有するカメラネジボルトに、カメラネジナットを有するカメラを直接取付けられるとともに、前記三脚が有するカメラネジボルトに、カメラ付き携帯電話を、前記カメラ付き携帯電話用アダプタを用いて取付けられるようにされてなる、
三脚セット。
【発明の詳細な説明】
【技術分野】
【０００１】
本発明は、カメラ付き携帯電話に取付けて用いられるカメラ付き携帯電話用アダプタに関する。
【背景技術】
【０００２】
近年の携帯電話の普及には目を見張るものがある。その要因の一つとなっているのが、カメラ付き携帯電話の流行である。
【０００３】
カメラ付き携帯電話（本願では、「カメラ付き携帯電話」の語に、カメラ付きＰＨＳも含むものとする。）は、文字通りカメラを備えた携帯電話である。携帯電話の内部に、一般的にはＣＣＤ（charge coupled device）により形成される撮像手段を、また携帯電話のケースの所定の位置からその撮像手段に像光を導くレンズを配することで、静止画、動画を含む画像の撮影を行えるようにしている。
【０００４】
カメラ付き携帯電話は、常に持ち歩いている携帯電話での手軽な写真の撮影を可能とするという機能、及びカメラ付き携帯電話で撮像した画像を、携帯電話が備えている電子メール機能によって実現される電子メールに添付して他者にそのまま送信できるという一般のカメラにはない機能により、ユーザの遊び心を刺激することに成功し、写真を撮る機会の多い、特に若年層に広く普及した。
【０００５】
このような状況においては、カメラ付き携帯電話で撮られる画像は、どちらかといえば遊びの要素が大きかった。
しかしながら、カメラ付きカメラ付き携帯電話の高性能化が進むにつれ、一般的なカメラ、特にはデジタルカメラと同様の目的で、カメラ付き携帯電話のカメラを用いる場合が多くなってきた。
このようなニーズに応えるべく、最近のカメラ付き携帯電話のカメラには、一般的なカメラと同様の機能が付加されることが増えてきている。そのような機能の一つに、一般のカメラが備えるのと同様のセルフタイマー機能がある。
【０００６】
ところで、セルフタイマー機能を用いて撮影を行う場合には、カメラ付き携帯電話を、所定の物に固定することが必要である。
この固定は、一般に折り畳み可能に構成されることが多い現在のカメラ付き携帯電話（現在のカメラ付き携帯電話は、筐体をカメラの設けられた部分と、設けられていない部分とに分けると共に、両者をヒンジで接続した構成が一般的である。）では、以下のようにして行われるのが通常である。すなわち、カメラの設けられた部分とカメラの設けられていない部分が略９０°の角度を成すように、カメラ付き携帯電話を上述のヒンジ部分で折り曲げた状態で、カメラの設けられていない部分の背面（略９０°に折り曲げられたカメラ付き携帯電話の外角側の面）が当接するような状態で、カメラのついていない部分を机の天板などの平面上に載置するとともに、その状態で上記平面から略９０°に立ち上がっているカメラのついている部分の向きを、カメラが撮影対象物を捕らえるように調節するのである。
【０００７】
このような固定の仕方で撮像を行うことは、確かに可能である。しかしながら、上述の固定の仕方では、所定の物への固定が十分ではなく、且つ上述のヒンジが自由に位置決め可能とされていないことなどから、安定して撮像を行えるとはいい難い。
より安定して撮影を行うためには、一般的なカメラをそうするように、三脚にカメラ付き携帯電話を固定すればよい。
しかしながら、カメラネジナットを備える一般的なカメラとは異なり、カメラ付き携帯電話はカメラネジナットを備えていないため、カメラ付き携帯電話は、三脚が備えるカメラネジボルトにそのまま固定できるというわけではない。
一方、三脚に限らずカメラネジボルトを備える製品は数多く存在するが、そのような製品のカメラネジボルトにカメラ付き携帯電話を固定できるようにすれば、安定した状態での撮影が行える他、便利なことがあるかもしれない。
【発明の開示】
【発明が解決しようとする課題】
【０００８】
本願発明は、上述のような観点からなされたものであり、カメラ付き携帯電話をカメラネジボルトに固定できるようにするための技術を提供することを、その主たる課題とする。
【課題を解決するための手段】
【０００９】
上述の課題は、以下の発明により解決される。
本願発明は、カメラ付き携帯電話との固定をなす携帯電話固定手段と、カメラネジボルトと螺合することのできるカメラネジナットと、を備えてなり、前記携帯電話固定手段を所定のカメラ付き携帯電話に固定し、且つ前記カメラネジナットをカメラネジボルトに固定することによって、前記カメラ付き携帯電話を前記カメラネジボルトへ固定できるようになっている、カメラ付き携帯電話用アダプタである。
このカメラ付き携帯電話用アダプタを用いれば、三脚やそれ以外の製品が備えるカメラネジボルトにカメラ付き携帯電話を固定できることになるので、安定した状態で撮像を行えるようになる。また、上記製品とカメラ付き携帯電話を接続することで、便利さを享受できる可能性がある。また、このカメラ付き携帯電話用アダプタは、カメラネジボルトを備える一般的な三脚との固定を可能とするものなので、既存の三脚にカメラ付き携帯電話を固定させられるようになる、という点で便利である。
なお、本願明細書において「カメラネジボルト」の語は、一般的にカメラネジと呼ばれているボルト、ナットのうちのボルトを意味し、また、「カメラネジナット」の語は、一般的にカメラネジと呼ばれているボルト、ナットのうちのナットを意味するものとする。カメラネジは、一般的には、１／４インチネジである。
【００１０】
本発明のカメラ付き携帯電話用アダプタの携帯電話固定手段は、カメラ付き携帯電話との固定をなすことができるようになっていれば、どのようなものでも構わない。また、カメラ付き携帯電話のどの部分と固定できるようなものとなっていても構わない。
携帯電話固定手段は、例えば、前記カメラ付き携帯電話に設けられた穴状の充電用端子と固定されるものであってもよい。この場合には、前記カメラネジボルトと前記カメラネジナットが固定され、且つ前記携帯電話固定手段と前記充電用端子が固定されたときに、前記カメラネジボルトの長さ方向が前記充電用端子の深さ方向と一致するようにされていてもよい。カメラネジボルトの長さ方向が前記充電用端子の深さ方向と一致する状態で、カメラ付き携帯電話がカメラネジボルトに固定されることとすると、底部に充電用端子が設けられた一般的なカメラ付き携帯電話は、カメラネジボルトの長さ方向とその長さ方向が一致する状態でカメラネジボルトに固定できるようになる。通常のカメラ付き携帯電話は、直立した状態で撮影を行うことが予定されているから、携帯電話固定手段を上述の如く構成することにより、略垂直方向に伸びるカメラネジボルトを備える三脚にカメラ付き携帯電話を取付けた場合に、そのカメラ付き携帯電話のカメラで撮像した画像の天地の向きが正しくなることになる。
携帯電話固定手段は、また、そのカメラ付き携帯電話用アダプタとの固定が予定されているカメラ付き携帯電話に設けられた穴状の充電用端子に挿入可能とされているとともに、それが充電用端子に挿入されることで、前記カメラネジボルトの長さ方向が前記充電用端子の深さ方向と一致する状態で、充電用端子と固定されるようになっていてもよい。この場合にも、また、上述した場合と同様に、撮像した画像の天地の向きが正しくなるという作用効果を得られる。かかるアダプタは、また、携帯電話固定手段のカメラ付き携帯電話の充電用端子との固定を、携帯電話固定手段の充電用端子への挿入により行うこととしているので、かかる固定を容易に行えるという利点も持つ。
携帯電話固定手段のカメラ付き携帯電話の充電用端子との固定を、携帯電話固定手段の充電用端子への挿入により行う上述のカメラ付き携帯電話用アダプタにおける前記携帯電話固定手段は、当該カメラ付き携帯電話用アダプタとの固定が予定されているカメラ付き携帯電話に設けられた穴状の充電用端子に挿入した状態で当該カメラ付き携帯電話が内蔵するバッテリに充電を行うための充電器端子の断面形状と等しい断面形状を持つようにされてなるものとすることができる。
携帯電話固定手段の断面形状を、充電器端子の断面形状と等しくすれば、充電器端子の設計をそのまま流用できることから設計の労力を削減できる。また、それのみならず、携帯電話固定手段をカメラ付き携帯電話の充電用端子に挿入したときに、充電用端子を傷つけづらくなるという利点がある。
【００１１】
以上で説明した本願に係るカメラ付き携帯電話用アダプタは、カメラネジボルトを有する三脚と組み合わせて三脚セットとすることができる。この三脚セットは、前記三脚が有するカメラネジボルトに、カメラネジナットを有するカメラを直接取付けられるとともに、前記三脚が有するカメラネジボルトに、カメラ付き携帯電話を、前記カメラ付き携帯電話用アダプタを用いて取付けられるものとなる。
したがって、一つの三脚に、一般的なカメラとカメラ付き携帯電話の両方を固定できるようになるので、便利である。
【発明を実施するための最良の形態】
【００１２】
以下、図面に基づいて、本発明の好ましい第１、第２実施形態による三脚セットにつき説明を行う。
各実施形態で共通する部分には共通する符号を付し、重複する説明は省略するものとする。
【００１３】
第１実施形態
この実施形態における三脚セットは、図１に示したように、三脚１０と、アダプタ２０からなる。
【００１４】
三脚１０は、極一般的な市販の三脚と同様の構造をしており、地面等にそれらの先端を当接させて固定を行うための三本の脚１１と、その上に所定のカメラを載置するカメラ台１２と、カメラ台１２から突出したカメラネジボルト１３とを備えている。
カメラネジボルト１３は、その外周にネジ切りがされている。これには限られないが、このカメラネジボルト１３の直径は、１／４インチである。
【００１５】
アダプタ２０は、図２に示したように、本体２１とカメラネジナット２２と、固定部２３とを備えている。
本体２１は、この実施形態では、樹脂製である。
カメラネジナット２２は、この実施形態では、略円筒系とされ、且つ金属製である。この実施形態におけるカメラネジナット２２は、本体２１の内部にその全体が埋め込まれている。カメラネジナット２２は、螺合させることによって、上述したカメラネジボルト１３に固定できるようになっている。
カメラネジナット２２は、この実施形態では、その内周の直径が１／４インチにされている（より詳細には、カメラネジナット２２は、１／４  ２０ＵＮＣの規格のナットとされている。）。
固定部２３は、所定のカメラ付き携帯電話との固定をなすものである。この実施形態における固定部２３は、かならずしもそうなっている必要はないが、カメラ付き携帯電話が備える充電用端子と固定を行えるようにされている。
カメラ付き携帯電話３０は、図３に示したように、充電用端子３１と、カメラ３２を備えている。この充電用端子３１は、孔状である。充電用端子３１に、当該カメラ付き携帯電話３０が内蔵する図示せぬバッテリに充電を行うための図示せぬ所定の充電器が備えている充電器端子を挿入することで、上記バッテリの充電がなされるようになっている。
上述の固定部２３は、本体２１から突出しており、カメラ付き携帯電話３０の充電用端子３１に挿入した状態で、カメラ付き携帯電話３０との固定をなせるようになっている。固定部２３は、この限りではないが、上述した充電器端子と同じ断面形状を有するものとされている。固定部２３が本体２１から突出する方向は、カメラネジナット２２の軸の方向と一致するようにされている。
【００１６】
この三脚セットの使用方法につき、説明する。
この三脚セットの三脚１０は、カメラネジナットを備える所定の一般的なカメラと、カメラネジナットを備えない所定のカメラ付き携帯電話３０のいずれをも固定できる。
三脚１０に、カメラネジナットを備える一般的なカメラを固定する場合には、そのカメラが備えるカメラネジナットを、三脚１０が備えるカメラネジボルト１３と螺合させればよい。
三脚１０に、カメラ付き携帯電話３０を固定する場合には、上述のアダプタ２０をカメラ付き携帯電話３０と、三脚１０の間に噛ませる。即ち、アダプタ２０が備える固定部２３をカメラ付き携帯電話３０の充電用端子３１に挿入するとともに、アダプタ２０が備えるカメラネジナット２２を三脚１０が備えるカメラネジボルト１３と螺合させることにより、三脚１０とカメラ付き携帯電話３０を固定する。この状態における固定部２３は、カメラネジボルト１３の長さ方向が充電用端子３１の深さ方向と一致する状態となる。
なお、アダプタ２０が備える固定部２３をカメラ付き携帯電話３０の充電用端子３１に挿入した状態で、アダプタ２０が備えるカメラネジナット２２を三脚１０以外の他の装置が備えるカメラネジボルト１３と螺合させることも可能である。
【００１７】
第２実施形態
第２実施形態における三脚セットは、図５に示したように、第１実施形態の場合と同様に、三脚１０と、アダプタ２０からなる。
【００１８】
第２実施形態における三脚１０は、第１実施形態におけるそれと同様に、極一般的な市販の三脚と同様の構造をしているので、これ以上の説明は行わない。
他方、アダプタ２０は、第１実施形態の場合と異なる構成を採用している。
【００１９】
第２実施形態におけるアダプタ２０は、図４の斜視図に示した如く構成されている。このアダプタ２０は、後述するように、折り畳み可能なカメラ付き携帯電話３０を閉じた状態で、固定できるようなものとなっている。
アダプタ２０は、本実施形態では、板状体を曲折して略断面略Ｌ字形状とするとともに、幅方向の両端部にリブを持つ本体２５を備えている。本体２５の幅は、カメラ付き携帯電話３０の幅よりも若干広い程度となっている。
本体２５のうち最も面積が広い背面板２５Ａには、アダプタ２０にカメラ付き携帯電話３０を取付けた際にカメラ３２のレンズが対応する位置に第１孔２６が、アダプタ２０にカメラ付き携帯電話３０を取付けた際に、カメラ付き携帯電話３０が備える場合のある照明と対応する位置に第２孔２７が設けられている。
これら第１孔２６及び第２孔２７はカメラ付き携帯電話３０をアダプタ２０に取付けた際に、カメラ３２のレンズと照明を背面板２５Ａから露出させるためのものである。この実施形態では、第１孔２６及び第２孔２７は共に円形であり、第１孔２６の径はカメラ３２のレンズの径の視野を確保するに十分なものとされているが、カメラ３２のレンズの径の視野を確保でき、且つ照明の蹴られが生じないのであれば、第１孔２６と第２孔２７はその大きさ、形状を自由に変更することができる。更にいえば、第１孔２６と第２孔２７は、一連の孔であっても構わない。なお、この実施形態では、カメラ付き携帯電話３０に照明が設けられていないため、第２孔２７は実質的には何らの機能も持たないものとなっている。
【００２０】
また、本体２５の背面板２５Ａには、カメラ付き携帯電話３０を着脱可能に固定するための２本の弾性片２８が設けられている。弾性片２８は、背面板２５Ａの幅方向の両端部に、背面板２５Ａの長さ方向での位置が一致するようにして設けられている。これには限られないが、弾性片２８は、弾性を有する樹脂によって形成された細い板状体であり、背面板２５Ａから垂直な方向に延設され、且つその先端を相手側の弾性片２８の方向に向けて曲折された形状となっている。
【００２１】
本体２５の背面板２５Ａと連なる矩形の板状の部分である底面板２５Ｂの外側には、直方体形状の部材２９が設けられており、そしてこの部材２９には、背面板２５Ａの長さ方向に沿う向きでカメラネジナット２２が穿設されている。部材２９は、底面板２５Ｂの厚さを増してカメラネジナット２２を設けることができるだけの厚みを作り出すためのものである。カメラネジナット２２は、第１実施形態の場合と同様のものである。
【００２２】
第２実施形態のアダプタ２０の使用方法を説明する。
このアダプタ２０を使用する場合には、上述の弾性片２８の間に、カメラ付き携帯電話３０を、図５に示したように嵌め込む。このとき、カメラ付き携帯電話３０の下端を、底面板２５Ｂに当接させるようにする。この状態で、カメラ付き携帯電話３０のレンズ３２は、第１孔２６を通して背面板２５Ａから露出することになる。
次いで、カメラ付き携帯電話３０との固定がなされたアダプタ２０のカメラネジナット２２を、三脚１０が備えるカメラネジボルト１３と螺合させればよい。これにより、三脚１０に、カメラ付き携帯電話３０が固定される。なお、第１実施形態の場合と同様に、このアダプタ２０を用いることで、三脚１０が備える以外のカメラネジボルトにカメラ付き携帯電話３０を固定することも可能となる。なお、この実施形態でも、カメラ付き携帯電話３０を所定のカメラネジボルト１３に固定した場合におけるカメラネジナット２２の長さ方向と、カメラ付き携帯電話３０の充電用端子３１の深さ方向は、一致することになる。
【図面の簡単な説明】
【００２３】
【図１】本発明の第１実施形態による三脚セットの斜視図。
【図２】図１に示した三脚セットに含まれるアダプタの斜視図。
【図３】図１に示した三脚セットの使用状態を示す斜視図。
【図４】本発明の第２実施形態による三脚セットに含まれるアダプタの斜視図。
【図５】図４に示したアダプタを含む三脚セットの使用状態を示す斜視図。
【符号の説明】
【００２４】
１０    三脚
１３    カメラネジボルト
２０    アダプタ
２１    本体
２２    カメラネジナット
２３    固定部
３０    カメラ付き携帯電話
３１    充電用端子
【図１】
2005062367.tif 000003
【図２】
2005062367.tif 000004
【図３】
2005062367.tif 000005
【図４】
2005062367.tif 000006
【図５】
2005062367.tif 000007